(57)【要約】【課題】  従来のプロジェクタの構成では、スピーカーが筺体の内側にスピーカーの背面が突出するように取り付けられている。そのため、突出しているスピーカーの背面によって、光源、画像生成デバイス、並びに基板を冷却するための空気の流れを妨げてしまうという問題があった。【解決手段】  １対のスピーカーボックスの後部外側の面と筐体の内側の面とで構成される空間内に配置された光源を、ファンによって生じる空気の流れで冷却して、筺体に設けた２か所の開口部によって筺体内を換気するので、スピーカーの音質を良くと共に、効率よく光源を冷却して廃熱効率を向上することができる。【選択図】        図２
2015040974.tif 000002
【特許請求の範囲】
【請求項１】
筺体内に光源、画像生成デバイス、基板および電源装置を備えたプロジェクタにおいて、
前記筺体には、第１の開口部と、該第１の開口部に対向して第２の開口部が設けられ、
前記筺体内に配置されるスピーカーを収容する一対のスピーカーボックスと、
該スピーカーボックスの後部外側の面と、前記筺体の内側の面とで構成される空間内に配置された前記光源を冷却するファンと
を備えることを特徴とするプロジェクタ。
【請求項２】
前記空間は、前記スピーカーボックスの後部外側の面と、前記筺体の画像が投写される方向の後部内側の面とで構成されることを特徴とするプロジェクタ。
【請求項３】
前記ファンは、更に前記画像生成デバイス、前記電源装置、前記基板を冷却することを特徴とする請求項１または請求項２記載のプロジェクタ。
【請求項４】
前記第２の開口部に配置された第２の前記ファンは、前記筺体の外部に排気し、
前記光源は、前記画像生成デバイスと前記電源と前記基板よりも前記第２のファンに近い位置に配置することを特徴とする請求項１〜３のいずれかに記載のプロジェクタ。
【請求項５】
前記画像生成デバイスは、前記電源装置と前記基板よりも前記第２のファンに近い位置に配置することを特徴とする請求項３または請求項４記載のプロジェクタ。
【請求項６】
前記第１の開口部に配置された第１の前記ファンは、前記筺体の外部から吸気することを特徴とする請求項１〜５のいずれかに記載のプロジェクタ。
【請求項７】
前記スピーカーボックスは、前記スピーカーボックスのスピーカーが取り付けられた面と正対する面が、前記ファンによって生じる空気の流れと平行になるように配置することを特徴とする請求項１〜６のいずれかに記載のプロジェクタ。
【請求項８】
複数の光学部品から構成され、前記画像生成デバイスからの光を前記筐体の外部に結像させる光学系をさらに備え、
該光学系が、一対の前記スピーカーボックスの間に配置されることを特徴とする請求項１〜７のいずれかに記載のプロジェクタ。
【請求項９】
前記光学系と前記スピーカーボックスの後部外側の面との間を連結する仕切り版を更に備えたことを特徴とする請求項８記載のプロジェクタ。
【請求項１０】
前記スピーカーボックスは、音響ダクトを設けたことを特徴とする請求項１〜９のいずれかに記載のプロジェクタ。
【請求項１１】
前記スピーカーボックスの１の側面と上面及び底面の外側の面が、前記筺体の内側の面に接していることを特徴とする請求項１〜１０のいずれかに記載のプロジェクタ。
【発明の詳細な説明】
【技術分野】
【０００１】
本発明は、投射型表示装置であるプロジェクタに関するものである。
【背景技術】
【０００２】
従来、小型のプロジェクタでは、基板、ランプ（光源）並びに画像生成デバイス（ＤＭＤ：Digital Micromirror Device、液晶など）などを冷却するために、吸気ファンと排気ファンによって、筺体の内部に空気の流れを発生させて風路を形成していた。（特許文献１）。
【０００３】
【特許文献１】特開２０００−３２１６７１号公報
【発明の概要】
【発明が解決しようとする課題】
【０００４】
しかし、従来のプロジェクタの構成では、筺体の内側にスピーカーの背面が突出するように、スピーカーが取り付けられている。そのため、スピーカーの音質が十分ではなく、突出しているスピーカーの背面によって、光源、画像生成デバイス、並びに基板を冷却するための空気の流れを妨げてしまうという問題があった。
【課題を解決するための手段】
【０００５】
この発明に係るプロジェクタは、筺体内に光源、画像生成デバイス、基板および電源装置を備えたプロジェクタにおいて、前記筺体には、第１の開口部と、該第１の開口部に対向して第２の開口部が設けられ、前記筺体内に配置されるスピーカーを収容する一対のスピーカーボックスと、該スピーカーボックスの後部外側の面と、前記筺体の内側の面とで構成される空間内に配置された前記光源を冷却するファンとを備えることを特徴とする。
【発明の効果】
【０００６】
この発明は、１対のスピーカーボックスの後部外側の面と筐体の内側の面とで構成される空間内に配置された光源を、ファンによって生じる空気の流れで冷却して、筺体に設けた２か所の開口部によって筺体内を換気するので、スピーカーの音質を良くすると共に、効率よく光源を冷却して廃熱効率を向上することができる。
【図面の簡単な説明】
【０００７】
【図１】この発明の実施の形態１における、プロジェクタ１の外観を示す図である。
【図２】この発明の実施の形態１における、プロジェクタ１の内部の構成図である。
【図３】この発明の実施の形態１における、プロジェクタ１の断面図である。
【図４】この発明の実施の形態１における、プロジェクタ１が画像を投写する図である。
【図５】この発明の実施の形態２における、プロジェクタ１の内部の構成図である。
【図６】この発明の実施の形態２における、プロジェクタ１の断面図である。
【図７】この発明の実施の形態３における、プロジェクタ１の内部の構成図である。
【図８】この発明の実施の形態４における、プロジェクタ１の内部の構成図である。
【発明を実施するための形態】
【０００８】
実施の形態１．
図１は、この発明の実施の形態１における、プロジェクタ１の外観を示す図である。
図１の（ａ）はプロジェクタ１の上面からの外観を示す図である。（ｂ）、（ｃ）はプロジェクタ１の側面の外観を示す図である。また、（ｄ）はプロジェクタ１が画像を投写する方向と反対の視聴者側の面の外観を示す図である。尚ここでは、（ｄ）の視聴者側を前面として説明する。
また、図２は、この発明の実施の形態１における、プロジェクタ１の内部の構成図である。図２は、図１（ｂ）のＡ−Ａの断面図でもある。
また、図３はこの発明の実施の形態１における、プロジェクタ１の断面図である。
図３（ｂ）は図１（ａ）のＢ−Ｂの断面図、図３（ｃ）は図１（ａ）のＣ−Ｃの断面図、図３（ｃ）は図１（ａ）のＤ−Ｄの断面図である。
【０００９】
図２を用いて、実施の形態１におけるプロジェクタ１の構成について説明する。
図２において、プロジェクタ１は、光源２、表示デバイス（画像生成デバイス）３、光学系４、基板５、電源装置６、スピーカー７（スピーカー７ａと７ｂ）、スピーカーボックス８（スピーカーボックス８ａと８ｂ）、ファン９（吸気側ファン９ａと排気側ファン９ｂ）と、これらを収容する筺体１０から構成されている。
【００１０】
プロジェクタ１は、光源２からの光を表示デバイス３にあて、光学系４のレンズを通して、図１に示すプロジェクタ１の筺体１０の上面に設けられた開口部１０ａから、スクリーン１１に画像を投影する。
また、図１の（ｂ）の筺体１０には開口部１０ｂが設けられ、図１の（ｃ）の筺体１０には開口部１０ｃが設けられ、筺体１０内部が換気される。
【００１１】
プロジェクタ１の内部の配置は、スピーカー７を収容するスピーカーボックス８が、筺体１０内で、投写方向と反対の前面側に配置される。そのため、筺体１０内の画像が投写される方向側（投射方向側）である後部側に、空間が構成される。そして、この空間に光源２、表示デバイス３、基板５、電源装置６が配置される。表示デバイス３は、光源２と基板５の間に配置される。そして、電源装置６は、基板５と上下方向に重ねて配置される。
【００１２】
そして、基板５が配置された側の筺体１０の側面に設けられた開口部１０ｂに、吸気側ファン９ａが配置される。また、光源２が配置された側の筺体１０の側面に設けられた開口部１０ｃに、排気側ファン９ｃが配置される。吸気側ファン９ａが筺体１０の外部から吸気し、排気側ファン９ｂによって筺体１０の外部に排気することで、ファン９によって、筺体１０内の投写方向側の空間に空気の流れが生じて風路１２が形成される。この風路１２の空間に、光源２、表示デバイス３、基板５、電源装置６が配置されている。
【００１３】
次に各構成要素について説明する。
光源２は、表示デバイス３を透過ないし反射する光を発する。光源２は、筺体１０内で、排気側ファン９ｂが取り付けられている側であって、スピーカーボックス８ｂのスピーカー７ａが取り付けられた面と正対する面の外側の面（背面）側に配置される。光源２は、最も熱を発生するため、ファン９によって生じる空気の流れで冷却される。また、光源２を冷却して温度が上昇した空気が筺体１０からすぐに排出されるように、光源２は、表示デバイス３、基板５と電源装置６よりも排気側ファン９ｂに近い位置に配置される。
【００１４】
表示デバイス３は、例えばＤＭＤである。表示デバイス３は、筺体１０内で光源２と基板５の間に配置される。表示デバイス３も、熱を発生するため、ファン９によって生じる空気の流れによって冷却される。
【００１５】
光学系４は、レンズ並びに鏡など複数の光学部品から構成され、表示デバイス３を通した光をスクリーン上に結像させるための仕組み全体である。光学系４は、表示デバイス３からの光を、図１に示すプロジェクタ１の筺体１０の上面に設けられた開口部１０ａからプロジェクタの背面方向（図２に示す投写方向）のスクリーン１１に投写して、画像を投影する。光学系４は、筺体１０内で１対のスピーカーボックス７の間に配置されている。
【００１６】
基板５は、入力インタフェース回路が搭載されたインタフェース基板、ビデオ信号処理回路が搭載されたビデオ基板、装置駆動制御用の制御基板等を含む。基板５は、筺体１０内で、吸気側ファン９ａが取り付けられている側であって、スピーカーボックス８ａの背面側に配置される。基板５も、熱を発生するため、ファン９によって生じる空気の流れによって冷却される。
【００１７】
電源装置６は、基板５と上下方向に重ねて配置されている。電源装置６も熱を発生するため、ファン９によって生じる空気の流れによって冷却される。
基板５と電源装置６は、光源２と表示デバイス３よりも熱の発生が少ない。そのため、基板５と電源装置６は、光源２と表示デバイス３よりも吸気側ファン９ａに近い位置に配置され、吸気側ファン９ａによって筺体１０の外から吸気された空気で最初に冷却される。そして、ファン９によって生じる空気の流れで、次に表示デバイス３が冷却される。そして、ファン９によって生じる空気の流れで、基板５と電源装置６、表示デバイス３が冷却された後、最も熱を発生する光源２が冷却される。最も熱を発生する光源２を冷却した空気は温度が上昇するため、排気側ファン９ａによって、すぐに筺体１０の外に排出される。
【００１８】
スピーカー７は、スピーカーボックス８に収容され、音質を確保するために、筺体１０の前面に配置される。また、スピーカー７ａの中心とスピーカー７ｂの中心の中央が、プロジェクタ１の中央となるように配置される。
即ち、図１（ｄ）の開口部１０ｄにスピーカー７ａが位置し、開口部１０ｅにスピーカー７ｂが位置する様に配置される。
【００１９】
スピーカーボックス８は、スピーカー７を収容するケースであり、ケーブル用の穴を含む閉空間を有する。スピーカーボックス８ａはスピーカー７ａを収容し、スピーカーボックス８ｂはスピーカー７ｂを収容する。スピーカーボックス８は、スピーカーボックス８ａの中心とスピーカーボックス８ｂの中心の中央が、プロジェクタ１の中央となるように配置される。また、スピーカーボックス８は、スピーカー７が取り付けられた面が筐体１０の前面に位置するように配置される。
【００２０】
スピーカーボックス８ａは、筺体１０の前面に設けられた図１（ｄ）の開口部１０ｄに、スピーカー７ａが位置するように配置される。そのため、スピーカーボックス８ａのスピーカー７ａが取り付けられた面と正対する面の外側の面（背面）８ａ１と、筐体１０の内部の面のうち画像が投写される方向の後部側の面とで空間が構成される。そして、この空間に、吸気側ファン９ａが筐体１０の外部から空気を吸気し、排気側ファン９ｂが筐体１０の外部に排気することで空気の流れが生じて、風路１２が形成される。また、スピーカーボックス８ａの背面８ａ１と筺体１０の後部内側の面とで構成される空間に、基板５と電源装置６が配置されている。
【００２１】
詳細には、スピーカーボックス８ａは、スピーカー７ａが取り付けられた面が、筐体１０の前面の視聴者側になるように配置される。更に、吸気側ファン９ａが取り付けられた筐体１０の面と同じ面に接する様に、スピーカーボックス８ａの１の側面が配置され、ピーカーボックス８ａの他の側面は筐体１０の内部に位置する様に配置される。また、スピーカーボックス８ａの上面は筐体１０の上面に接し、スピーカーボックス８ａの底面は筐体１０の底面に接するように配置される。
【００２２】
また、スピーカーボックス８ｂは、筺体１０の前面に設けられた図１（ｄ）の開口部１０ｅに、スピーカー７ｂが位置するように配置される。そのため、スピーカーボックス８ｂのスピーカー７ｂが取り付けられた面と正対する外側の面（背面）８ｂ１と、筐体１０の内側の面のうち画像が投射される方向の後部側の面とで空間が構成される。そして、この空間に、吸気側ファン９ａが筐体１０の外部から吸気した空気を、排気側ファン９ｂが筐体１０の外部に排気することで空気の流れが生じて、風路１２が形成される。また、スピーカーボックス８ｂの背面８ｂ１と筺体１０の後部内側の面とで構成される空間に、光源２が配置されている。
【００２３】
詳細には、スピーカーボックス８ｂは、スピーカー７ｂが取り付けられた面が、筺体１０の前面の視聴者側になるように配置される。更に、排気側ファン９ｂが取り付けられた筐体１０の面と同じ面に接する様に、スピーカーボックス８ｂの１の側面が配置され、スピーカーボックス８ｂの他の側面は筐体１０の内部に位置する様に配置される。また、スピーカーボックス８ｂの上面は筐体１０の上面に接し、スピーカーボックス８ｂの底面は筐体１０の底面に接するように配置される。
【００２４】
この様にスピーカーボックス８を配置するため、スピーカーボックス８ａと８ｂの背面は、ファン９によって生じる空気の流れである風路１２と平行になる。
尚、ここでは、スピーカーボックス８の背面と筺体１０の内側の面とで構成される空間に配置された光源２、表示デバイス３、基板５と電源装置６をファン９によって生じる空気の流れで冷却するとして説明したが、スピーカーボックス８の１の側面または上面または底面の外側の面と、筺体１０の内側の面とで構成される空間に光源２、表示デバイス３、基板５と電源装置６が配置されていてもよい。その場合、スピーカー７がプロジェクタ１の上側に向けて配置、または左右の側面、または底面に配置されていることになる。
【００２５】
即ち、スピーカーボックス８のスピーカー７の面を除く後部外側の面と、筺体１０の内側の面とで構成される空間に配置された光源２、表示デバイス３、基板５と電源装置６を、ファン９によって生じる空気の流れで冷却する構成であればよい。
【００２６】
尚、ここでは、スピーカーボックス８の１の側面、上面、底面が筐体１０の内部の面に接しているとして説明したが、ファン９によって空気の流れが生じれば、必ずしも接していなくてよい。
また、一対のスピーカーボックス８の位置を、スピーカーボックス８ａの中心とスピーカーボックス８ｂの中心との中央がプロジェクタ１の中央になるように配置するとして説明したが、ファン９によって空気の流れが生じ、スピーカーボックス８の後部外側の面と筺体１０の内側の面とで構成される空間に配置された光源２などを冷却することができれば、スピーカーボックス８ａの中心とスピーカーボックス８ｂの中心との中央がプロジェクタ１の中央にならなくてもよい。
また、スピーカーボックス８は、本実施の形態では閉空間であればよく、容積を有するが、直方体でなくてもよい。
そして、１対のスピーカーボックス８の間に光学系４が配置される。
【００２７】
ファン９は、吸気側ファン９ａと排気側ファン９ｂの一対が正対して配置される。しかし、完全に中心を一致した一直線上である必要はない。吸気側ファン９ａは、筺体１０に設けられた開口部１０ｂに取り付けられている。そのため、吸気側ファン９ａは、スピーカーボックス８ａの１の側面が接している筺体１０の面と同じ面のうち、スピーボックス８ａが接していない部分に配置されることになる。
【００２８】
また、排気側ファン９ｂは、筺体１０に設けられた開口部１０ｃに取り付けられている。そのため、排気側ファン９ｂは、スピーカーボックス８ｂの１の側面が接している筺体１０の面と同じ面のうち、スピーカーボックス８ｂが接していない部分に配置されることになる。
吸気側ファン９ａは、筺体１０の外の空気（外気）を筺体１０の内部に導入し、排気側ファン８ｂは、筺体１０内の空気を筺体１０の外に排出する。そのため、ファン９は、筺体１０内の後部側の空間に空気の流れを作る。また、吸気側ファン８ａと排気側ファン８ｂは、それぞれ複数配置されてもよい。
【００２９】
尚、ここでは、ファン９が、開口部１０ｂと１０ｃに取り付けられているとして説明するが、光源２、表示デバイス３、基板５と電源装置６を効率よく冷却することができれば必ずしも開口部１０ｂと１０ｃに取り付けられていなくてもよい。また、ファン９は光源側２を冷却した空気を筺体１０の外に排出するファンが少なくとも１つあればよい。
例えば、光源２の近くにファン９が１つ取り付けられ、光源２が配置されている側の筺体１０の側面に開口部１ｃがあり、開口部１ｂと対向する筺体１０の側面に開口部１０ｂがあれば、光源２を冷却して温度が上昇した空気を、開口部１０ｃからすぐに筺体１０の外に排出することができる。
【００３０】
筺体１０は、プロジェクタ１の部品である光源２、表示デバイス３、光学系４、基板５、電源装置６、スピーカー７、スピーカーボックス８、ファン９を収容する外装のケースである。図１（ａ）に示す様に、筺体１０の上面には、光学系４から画像を投写するために設けられた開口部１０ａがあり、その開口部１０ａには透明な板が取り付けられている。
【００３１】
また、図１（ｂ）に示す様に、筺体１０の側面には開口部１０ｂが設けられている。そして、この開口部１０ｂの位置に図２の吸気側ファン９ａが取り付けられている。また、図１（ｃ）に示す様に、筺体１０の側面には開口部１０ｃが設けられている。そして、この開口部１０ｃの位置に図２の排気側ファン９ｂが取り付けられている。
【００３２】
筺体１０の２か所に開口部１０ｂと開口部１０ｃを設けることによって、筺体１０内の換気を行うことができる。更に、この開口部１０ｂに取り付けたファン９ａによって、筺体１０の外から吸気して、筺体１０内の空気に流れを生じさせて、光源２などを冷却する。そして、光源２などを冷却して温度が上昇した空気を、開口部１０ｃに取り付けたファン９ｂによって、筺体１０の外へ効率よく排出することができる。
また、図１（ｄ）に示す様に、筺体１０の前面には開口部１０ｄと開口部１０ｅが設けられている。そして、この開口部１０ｄの位置に図２のスピーカー７ａが配置され、開口部１０ｅの位置に図２のスピーカー７ｂが配置される。
【００３３】
次に、図３を用いて、プロジェクタ１の各部品（各構成要素）の配置について説明する。
図３（ｂ）は、図１（ａ）のＢ−Ｂの断面図であり、吸気ファン９ａ側の断面図である。図３（ｂ）に示す様に、基板５と電源装置６は上下方向に重ねて配置される。そして、スピーカーボックス８ａの背面８ａ１と、筺体１０のスピーカー７ａが配置されている面と反対の後部側であって、後部側上部の内側の面１０１と、スピーカー７ａが配置されている前面に正対する内側の面１０２と、筐体１０の後部側底部の内側の面１０３とで空間が構成されている。
【００３４】
そして、この空間の底面側に、基板５と電源装置６が配置される。そのため、基板５と電源装置６の上部側には空間がある。そして、筺体１０の側面に配置された吸気側ファン９ａによって、空間に空気の流れが生じる。この吸気ファン９ａによる空気の流れによって、基板５と電源装置６は冷却される。
【００３５】
更に、吸気側ファン９ａは、筺体１０の開口部１０ａに取り付けられているため、筺体１０の外部から効率よく空気を吸気する。この吸気側ファン９ａに最も近い位置に、基板５と電源装置６が配置されている。
【００３６】
吸気側ファン９ａによって、筺体１０の外部から吸気された空気の流れは、スピーカーボックス８ａの背面８ａ１と、筐体１０の後部側上部の内側の面１０１と、筐体１０のスピーカー７ａが配置された面に正対する内側の面１０２と、筐体１０の後部側底部の内側の面１０３から構成される空間に生じる。
【００３７】
また、図３（ｃ）は、図１（ａ）のＣ−Ｃの断面図であり、スピーカーボックス８ａと８ｂの間の断面図である。図３（ｃ）に示す様に、光学系４と表示デバイス３が配置されている。光源２の次に熱を発生する表示デバイス３も、スピーカーボックス８の背面と筺体１０の内側の面から構成される空間で、ファン９によって生じる空気の流れによって形成される風路１２上に配置されている。そのため、表示デバイス３も、ファン９によって生じる空気の流れによって、基板５と電源装置６の次に冷却される。
尚、光学系４の後部上面と筺体１０の後部側上部内側の面、光学系４の後部底面と筺体１０の後部側底部内側の面とで空間を構成しているので、ファン９によって生じる空気の流れが円滑であり、騒音（風切り音）を低減することができる。
【００３８】
図３（ｄ）は、図１（ａ）のＤ−Ｄの断面図であり、排気ファン９ｂ側の断面図である。図３（ｄ）に示す様に、光源２は、スピーカーボックス８ｂの背面８ｂ１と、筐体１０の後部側上部の内側の面１０１と、筐体１０のスピーカー７ａが配置された面に正対する内側の面１０２と、筐体１０の後部側底部の内側の面１０３から構成される空間で、上部側に配置される。スピーカーボックス８ｂの背面８ｂ１と、筐体１０の後部内側の面から構成される空間には、ファン９によって空気の流れが生じ、風路１２が形成される。光源２は、この形成された風路１２上に配置されている。そしてファン９によって生じる空気の流れによって、表示デバイス３の次に光源２が冷却される。
そして、光源２は、基板５と電源装置６、および表示デバイス３よりも、筺体１０に配置された排気ファン９ｂに近い位置に配置されているので、最も熱を発生する光源２を冷却して温度が上昇した空気は、筺体１０からすぐに外部に排出される。
【００３９】
図４は、実施の形態１における、プロジェクタ１が画像を投写する図である。
プロジェクタ１の光源２から発した光が、表示デバイス３を透過または反射し（透過か反射は表示デバイスの種類による）、光学系４を経て、プロジェクタ１の透明な板が配置された図１（ａ）の開口部１０ａから出力され、画像がスクリーン１１に結像される。
即ち、プロジェクタ１に近接する背面上方の位置から、所定の距離を空けた背面上方の位置に、画像が表示される。
例えば、図４（ａ）では、プロジェクタ１を机上に置き、スクリーン１１に画像を表示している。また図４（ｂ）では、プロジェクタ１を天井に設置し、スクリーン１１に画像を表示している。本実施例のプロジェクタ１は、上面から短い距離で投写することができるため、限られたスペースで画像を表示することができる。
【００４０】
次に、プロジェクタ１が動作したときに、ファン９によって生じる空気の流れが基板５、電源装置６、表示デバイス３、光源２を冷却する動作について、図２を用いて説明する。
プロジェクタ１が電源装置６によって給電されて稼働すると、ファン９も動作する。すると吸気側ファン９ａが、筺体１０の開口部１０ｂから筺体１０の外部の空気を吸気する。そして、吸気された空気は、筺体１０の投写方向の後部側であって、スピーカー７が配置された面と正対する面の内側の面と、上面の内側の面と、底面の内側の面と、スピーカーボックス８の背面とで構成された空間を通り、排気側ファン９ｂによって、筺体１０の開口部１０ｃから、筺体１０内の空気が排出される。すると、図２に示す様に、吸気側ファン９ａから排気側ファン９ｂの方向に、空気の流れが生じ、風路１２が形成される。
【００４１】
この吸気側ファン９ａと排気側ファン９ｂによって生じる空気の流れは、スピーカーボックス８の背面と筺体１０の後部内側の面とで構成される空間に生じている。そのため、この空間に配置されている、基板５と電源装置６、表示デバイス３、光源２が、順に筺体１０の外から吸気された空気の流れによって冷却される。この時、光源２、表示デバイス３、基板５と電源装置６の中で熱の発生が少ない基板５と電源装置６が、吸気側ファン９ａによって筺体１０の外から吸気された空気の流れによって最初に冷却される。
【００４２】
そして、基板５と電源装置６の次に熱を発生する表示デバイス３は、空気の流れによって、基板５と電源装置６の次に冷却される。
そして、空気の流れは、基板５と電源装置６、表示デバイス３を冷却した後、最も熱を発生する光源２を最後に冷却する。そして、これらの構成要素（部品）を冷却して温度が上昇した空気を、排気側ファン９ｂが、筺体１０の開口部１０ｃから筺体１０の外へ排出する。
【００４３】
尚、ここでは、スピーカー７ａの中心とスピーカー７ｂの中心がプロジェクタ１の中央になるように配置されるとして説明した。スピーカーボックス８ａと８ｂの間に光学系４を配置することにより、スピーカーボックス８ａの後部背面と筺体１０、またはスピーカーボックス８ｂの後部背面と筺体１０の後部内側の面で構成される空間に空気の流れを生じやすくすることができる。しかし、空気の流れが生じる配置であれば、光学系４は別の配置でもよい。
【００４４】
また、ここでは、筺体１０の開口部１０ｂに吸気側ファン９ａが取り付けられ、開口部１０ｃに排気側ファン９ｂが取り付けられているとして説明したが、筺体１０の２か所に開口部１０ｂと開口部１０ｃが設けられ、光源２、表示デバイス３、基板５と電源装置６を冷却して温度が上昇した空気を筺体１０から排出するファン９が少なくとも１つ配置されていればよい。ファン９によって生じる空気の流れで、熱を発生する光源２、表示デバイス３、基板５と電源装置６を冷却し、冷却して温度が上昇した空気が、開口部１０ｂと開口部１０ｃによって筺体１０の外に効率よく排出されるように配置されていればよい。
【００４５】
以上のように、スピーカーボックス８の背面（スピーカー７が取り付けられた面に正対する後部外側の面）と筺体１０の後部（スピーカー７が配置されている面と反対側の部分）内側の面で構成する空間に配置された光源２、表示デバイス３、基板５と電源装置６を、ファン９によって生じる空気の流れで冷却し、筺体１０に設けた２か所の開口部１０ｂと１０ｃによって筺体１０内を換気するため、スピーカー７の音質を良くすると共に、光源２等を効率よく冷却し、廃熱効果を向上することができる。
【００４６】
また、筺体１０の開口部１０ｃに取り付けられた排気用のファン９に、最も近い位置に光源２を配置するので、光源２を冷却して温度が上昇した空気を、効率よく筺体１０の外に排気することができる。
また、風路１２の空気の流れが円滑であるため、騒音（風切り音）を低減することができる。
また、スピーカー７をスピーカーボックス８の容量の大きい、密閉した空間で収容することで音質を向上することができる。
【００４７】
また、投写映像をプロジェクタ１の中央に結像させることができ、更に左右のスピーカー７から同一距離に音像を結像させることができるため、映像を適切な位置で見る視聴者にとって、音響も最適にすることができる。
また、プロジェクタ１の上面から投写するため、投写距離が短くて済み、限られたスペースで天吊り設置や机上・机下設置など多彩な設置方法に利用できると同時に、スピーカー７の音質を良くしながら、光源２などを効率よく冷却して、廃熱効果を向上することができる。
【００４８】
実施の形態２．
実施の形態２では、スピーカーボックス９と光学系４の間に、空気が通り抜けないようにする仕切り板がある例について説明する。
図５は、実施の形態２における、プロジェクタ１の内部の構成図である。
また、図６は、実施の形態２における、プロジェクタ１の図１に示すＢ−Ｂ、Ｃ−Ｃ、Ｄ−Ｄの断面図である。
図５において、実施の形態１と異なるところは、スピーカーボックス９ａと光学系４の間に仕切り板１３ａが設けられ、スピーカーボックス９ｂと光学系４の間に仕切り版１３ｂが設けられていることである。それ以外の構成は、実施の形態１と同じであるため、説明を省略する。
【００４９】
仕切り板１３は、スピーカーボックス９の背面と連続して接合されるように配置されている。この仕切り板１３によって、スピーカーボックス９の背面と筺体１０の後部内側の面で構成された空間に生じた空気の流れが、スピーカーボックス９ａとスピーカーボックス９ｂの間に光学系４に沿って流れ込まないようにすることができる。
また、図６（ｃ）は、光学系４が配置されている断面であり、スピーカーボックス９の背面と連続して仕切り板１３が配置されていることを示す。
【００５０】
実施の形態２の構成では、スピーカーボックス８の背面と筐体１０の後部内側の面、そして仕切り版１３で構成する空間に、ファン９によって空気の流れが生じて、風路１２が形成される。
仕切り板１３が設けられていることにより、スピーカーボックス８ａと光学系４との間と、スピーカーボックス８ｂと光学系４との間に隙間がなく、ファン９によって生じる空気の流れが、スピーカーボックス８と光学系４との間に流れ込むことがない。即ち、スピーカーボックス８の背面と筐体１０の後部内側の面、そして仕切り版１３で構成される空間に形成される風路１２と平行な面に、空気が流れ込む隙間をなくして、空気が滞ることなく効率よく流れて筺体１０の外に排出するので、効率よく光源２などを冷却することができる。
また、仕切り板１３が設けられていることにより、吸気ファン９ａによって吸気された空気が、スピーカーボックス８と光学系４との間の空間に流れ込むことなく、吸気側ファン９ａと排気側ファン９ｂを結ぶ方向に滞りなく流れるので、騒音を軽減することができる。
【００５１】
実施の形態３．
実施の形態３では、スピーカーボックス８に音響ダクトが設けられている例について、説明する。
図７は、実施の形態３における、プロジェクタ１の内部の構成図である。
図７において、実施の形態１と異なるところは、スピーカーボックス９ａに音響ダクト１５ａ，スピーカーボックス９ｂに音響ダクト１４ｂが設けられていることである。それ以外の構成は、実施の形態１と同じであるため、説明を省略する。
【００５２】
音響ダクト１４ａは、スピーカー７ａと、スピーカーボックス８ａの光学系４側の面との間に設けられている。そして、スピーカー７ａの音の出る方向の前面とスピーカーボックス８ａ内に開口している。
同様に、音響ダクト１４ｂは、スピーカー７ｂと、スピーカーボックス８ｂの光学系４側の面との間に設けられ、スピーカー７ｂの音の出る方向の前面とスピーカーボックス８ｂ内に開口している。
音響ダクト１４を設けることにより、スピーカー７から発生される音の中低域を増強することができる。
【００５３】
音響ダクト１４の開口部は、スピーカーボックス７の後部の面に設けられることはないため、風路１２の空気が音響ダクト１５を通ることはない。
尚、ここでは、音響ダクト１４がスピーカー７とスピーカーボックス８の光学系４側の面との間に設けるとして説明したが、スピーカー７とスピーカーボックス８の外側の面側との間に設けてもよい。
また、音響ダクト１４は、スピーカーボックス８の側面（ファン９が配置されている側）に設けても良く、上面や底面に設けても良い。
また、ここでは、音響ダクト１４がスピーカーボックス７に対して１つ設けているが、複数あってもよい。
このように、スピーカーボックス７に音響ダクト１４を設けることによって、筺体１０に設けた２か所の開口部で筺体１０の換気を可能にし、スピーカーボックス７の背面と筐体１０の後部内側の面で構成される空間に配置された光源２などを効率よく冷却し、廃熱効果を向上すると同時に、スピーカー７から出る音の中低域の音を増強することができる。
【００５４】
実施の形態４．
実施の形態４では、実施の形態２で説明した仕切り板１３と、実施の形態３で説明した音響ダクト１４の両方を設けた例について説明する。
図８は、実施の形態４における、プロジェクタ１の内部の構成図である。
図８において、実施の形態１と異なるところは、スピーカーボックス８と光学系４との間に仕切り板１３を設け、スピーカーボックス８に音響ダクト１４を設けたことである。
仕切り板１３は実施の形態２と同様な構成であり、音響ダクト１４は実施の形態３と同様な構成である。
この様に、仕切り板１３と音響ダクト１４を設けた構成により、筺体１０に設けた２か所の開口部で筺体１０の換気を可能にし、スピーカーボックス７の背面と筐体１０の後部内側の面で構成される空間に配置された光源２などを効率よく冷却し、廃熱効果を向上すると同時に、光源２などを冷却する空気の流れが、スピーカーボックス８と光学系４との間に流れ込んで滞ることなく、筺体１０の外に排出され、騒音も軽減できる。更に、中低域の音を増強することができる。
【符号の説明】
【００５５】
１  プロジェクタ、２  光源、３、  表示デバイス、４  光学系、５  基板、６  電源装置、７  スピーカー、８  スピーカーボックス、９  ファン、１０  筺体、１１  スクリーン、１２  風路、１３  仕切り板、１４  音響ダクト。
【図１】
2015040974.tif 000003
【図２】
2015040974.tif 000004
【図３】
2015040974.tif 000005
【図４】
2015040974.tif 000006
【図５】
2015040974.tif 000007
【図６】
2015040974.tif 000008
【図７】
2015040974.tif 000009
【図８】
2015040974.tif 000010